(57)【要約】【課題】ドリルによる被加工材料の持ち上がりが起こることを防止し、被加工材料の損傷やデラミネーションの発生を抑制すると共に、ドリルでの切り屑の排出効率に優れ、詰まりを防止することができるドリルを提供する。【解決手段】ドリルＡは、シャンク部２と、シャンク部２の先端に設けられると共に、回転方向において被加工材料を加工する心刃１２１、胴刃１２２、胴刃１２２の最大径と略同径で回転軸方向と平行に設けられた仕上げ刃１２３、各刃の刃先に回転方向へつながる逃げ面１２６ａ、１２６ｂ、１２６ｃ、及び回転方向と逆方向へつながり、自身の直径線に略沿うように、回転中心軸と重なって設けられている凹面状の掬い面１２０を有するドリル刃１とを備える。【選択図】図１
2020124794.tif 000002
【特許請求の範囲】
【請求項１】
シャンク部と、
該シャンク部の先端に設けられると共に、回転方向において被加工材料を加工する切削刃、該切削刃の最大径と略同径で回転軸方向と平行に設けられた仕上げ刃、前記切削刃の刃先と前記仕上げ刃の刃先に回転方向へつながる逃げ面、及び回転方向と逆方向へつながり、自身の直径線に略沿うように、回転中心軸と重なるか、又は近接して設けられている凹面状の掬い面を有するボディ部と、
を備えるドリル。
【請求項２】
ボディ部が、前記切削刃、及び前記仕上げ刃を有し、多結晶焼結体で形成された刃体を備える
請求項１のドリル。
【請求項３】
前記掬い面が、前記ボディ部の直径線方向において円弧状である
請求項１又は２のドリル。
【請求項４】
前記切削刃が、前記回転中心軸から外方向へ向け、角度を段階的に大きくして複数設けられている
請求項１、２又は３のドリル。
【請求項５】
前記切削刃と前記仕上げ刃の反対側に、前記回転中心軸からの距離が前記仕上げ刃より短い死刃が形成されている
請求項１、２、３又は４のドリル。
【請求項６】
ボディ部を構成する刃台に、多結晶焼結体で形成された刃体を固定して一体化する工程と、
前記刃体に、回転方向において被加工材料を加工する切削刃、該切削刃の最大径と略同径で回転軸方向と平行に設けられた仕上げ刃、及び前記切削刃の刃先、及び前記仕上げ刃の刃先に回転方向へつながる逃げ面、及び回転方向と逆方向へつながり、前記ボディ部の直径線に略沿うように、回転中心軸と重なるか、又は近接して設けられている凹面状の掬い面を形成する工程と、
を備えるドリルの製造方法。
【発明の詳細な説明】
【技術分野】
【０００１】
本発明は、ドリル及びその製造方法に関するものである。詳しくは、ドリルによる被加工材料の持ち上がりが起こることを防止し、被加工材料の損傷やデラミネーションの発生を抑制すると共に、ドリルでの切り屑の排出効率に優れ、詰まりを防止することができるものに関する。
【背景技術】
【０００２】
木材や合成樹脂材等の被加工材料に削孔等の加工を施す際に、ドリルが使用されている。このようなドリルとしては、例えば非特許文献１に記載されたドリルが一般的である。
【０００３】
非特許文献１に記載された従来のドリルは、先側のボディ部に、溝が螺旋状に形成されており、ボディ部の先端には、複数の逃げ面で形成されたチゼルが形成されている。そして、ボディ部の溝により、回転して被加工材料を削ったときに生じる切り屑を外部へ排出するようにしている。
【先行技術文献】
【非特許文献】
【０００４】
【非特許文献１】三菱マテリアル、「ドリルの各部の名称、形状諸元と切削特性」、（平成３１年２月１日検索）、インターネット＜http://carbide.mmc.co.jp/technical_information/tec_rotating_tools/drills/tec_drilling_technical/tec_drilling_terminology＞
【発明の概要】
【発明が解決しようとする課題】
【０００５】
しかしながら、非特許文献１に記載されたドリルには、次のような課題があった。
すなわち、螺旋状の溝の回転により、被加工材料の持ち上がりが起こりやすく、ドリルや被加工材料が損傷したり、被加工材料の表面にデラミネーション（表面の剥離やバリ）が生じたりすることがあった。
【０００６】
また、ドリルの直径が、例えば６ｍｍ以下の径小なドリルの場合では、切り屑の排出効率をよくするために、螺旋状の溝を二本設けている。この構造では、溝の幅を小さく形成せざるを得ず、これが原因で切り屑が溝に詰まりやすくなるために、結局は排出効率が悪くなってしまうという問題があった。
【０００７】
更には、粉状の切り屑が溝の内部で積層し、圧縮されて固まってしまうと、ドリルが全く切れなくなり、溝の内部の固まった切り屑の除去も容易にはできなかった。
【０００８】
本発明は、以上の点を鑑みて創案されたものであり、ドリルによる被加工材料の持ち上がりが起こることを防止し、被加工材料の損傷やデラミネーションの発生を抑制すると共に、ドリルでの切り屑の排出効率に優れ、詰まりを防止することができるドリル及びその製造方法を提供することを目的とする。
【課題を解決するための手段】
【０００９】
（１）上記の目的を達成するために本発明は、シャンク部と、該シャンク部の先端に設けられると共に、回転方向において被加工材料を加工する切削刃、該切削刃の最大径と略同径で回転軸方向と平行に設けられた仕上げ刃、前記切削刃の刃先と前記仕上げ刃の刃先に回転方向へつながる逃げ面、及び回転方向と逆方向へつながり、自身の直径線に略沿うように、回転中心軸と重なるか、又は近接して設けられている凹面状の掬い面を有するボディ部と、を備えるドリルである。
【００１０】
本発明のドリルは、シャンク部を回転部でチャックして、ボディ部に回転力を与えることができる。ドリルの回転により、ボディ部の先端にある切削刃により、被加工材料を切削して穿孔することができる。
【００１１】
また、仕上げ刃によれば、切削刃の最大径と略同径であるので、切削刃により加工された部分を、続いて仕上げ加工することができる。このような加工では、従来のドリルのように螺旋状の刃（溝）を有するものとは相違して、ドリルの回転による被加工材料の持ち上がりが起こらない。これにより、被加工材料の持ち上がりに起因する被加工材料の損傷やデラミネーションの発生を抑制することができる。
【００１２】
また、切削刃、及び仕上げ刃の回転により生じる切り屑は、切削刃、及び仕上げ刃につながる掬い面に案内されて排出される。掬い面は、ボディ部の直径線に略沿うように、回転中心軸と重なるか、又は近接して設けられている凹面状であるので、切削後に切り屑が誘導される空間部は比較的広くなっている。これにより、切り屑は円滑に排出され、掬い面には切り屑が付着しにくく、詰まることを防止できる。
【００１３】
（２）本発明のドリルは、ボディ部が、前記切削刃、及び前記仕上げ刃を有し、多結晶焼結体で形成された刃体を備える構成としてもよい。
【００１４】
この場合は、刃体が多結晶焼結体（多結晶ダイヤモンド：ＰＣＤ(Poly crystalline Diamond)）で形成されているので、組織が緻密できわめて硬く、強度に優れている。
【００１５】
（３）本発明のドリルは、前記掬い面が、前記ボディ部の直径線方向において円弧状である構成としてもよい。
【００１６】
この場合は、掬い面の加工において、ローター（回転体）を備える加工装置（研磨装置）を採用することができるので、加工作業を高効率で行うことが可能になる。
【００１７】
（４）本発明のドリルは、前記切削刃が、前記回転中心軸から外方向へ向け、角度を段階的に大きくして複数設けられている構成としてもよい。
【００１８】
この場合は、複数の切削刃が外に膨らむように形成され、切削作業が進むにつれ、切削刃による加工径が大きくなるのに伴って、切削刃の角度が段階的に大きくなる。これにより、外にある切削刃ほど、切削作業が進むのに伴う、回転に必要なトルクの上昇が緩やかになり、ドリルに衝撃荷重が作用しにくい。
【００１９】
（５）本発明のドリルは、前記切削刃と前記仕上げ刃の反対側に、前記回転中心軸からの距離が前記仕上げ刃より短い死刃が形成されている構成としてもよい。
【００２０】
この場合は、切削加工において、ボディ部が回転中心軸を中心に回転する際に、切削刃と仕上げ刃だけが加工を行い、死刃は被加工材料に接触せず、加工は行わない。しかし、死刃が切削刃と仕上げ刃とは反対側に設けられていることにより、回転する際のバランスを良好な状態にすることができるので、ボディ部の振動等が発生しにくい。
【００２１】
（６）上記の目的を達成するために本発明は、ボディ部を構成する刃台に、多結晶焼結体で形成された刃体を固定して一体化する工程と、前記刃体に、回転方向において被加工材料を加工する切削刃、該切削刃の最大径と略同径で回転軸方向と平行に設けられた仕上げ刃、及び前記切削刃の刃先、及び前記仕上げ刃の刃先に回転方向へつながる逃げ面、及び回転方向と逆方向へつながり、前記ボディ部の直径線に略沿うように、回転中心軸と重なるか、又は近接して設けられている凹面状の掬い面を形成する工程とを備える、ドリルの製造方法である。
【００２２】
本発明のドリルの製造方法によれば、ボディ部を構成する刃台に、多結晶焼結体で形成された刃体を固定して一体化することにより、保持がしやすくなり、研磨装置等による刃体の加工もしやすい。
【００２３】
刃体に、回転方向において被加工材料を加工する切削刃、切削刃の最大径と略同径で回転軸方向と平行に設けられた仕上げ刃を形成することにより、切削刃で被加工材料を加工した後、続いて仕上げ刃によってその加工部を仕上げ加工することが可能になる。
【００２４】
また、切削刃の刃先、及び仕上げ刃の刃先に回転方向へつながる逃げ面を設けることにより、切削刃の切削抵抗を小さく抑えることができる。更に、回転方向と逆方向へつながり、ボディ部の直径線に略沿うように、回転中心軸と重なるか、又は近接して設けられている凹面状の掬い面を形成することにより、加工により生じる切り屑を掬い面に沿って排出することができる。
【発明の効果】
【００２５】
本発明は、ドリルによる被加工材料の持ち上がりが起こることを防止し、被加工材料の損傷やデラミネーションの発生を抑制すると共に、ドリルにおける切り屑の排出に優れ、詰まりを防止することができるドリル及びその製造方法を提供することができる。
【図面の簡単な説明】
【００２６】
【図１】本発明のドリルの第１の実施形態を示す斜視図である。
【図２】図１に示すドリルの正面図である。
【図３】図１に示すドリルの右側面図である。
【図４】図１に示すドリルの底面視説明図である。
【図５】図１に示すドリルで削孔している状態の説明図である。
【図６】本発明のドリルの他の実施形態を示す説明図である。
【発明を実施するための形態】
【００２７】
図１乃至図４を参照して、本発明の実施の形態を更に詳細に説明する。
ドリルＡは、ボディ部であるドリル刃１と、ボール盤等の回転部でチャックされてドリル刃１に回転力を伝えるシャンク部２を備えている。
【００２８】
ドリル刃１は、シャンク部２の先端に、シャンク部２と平行に固定されている。なお、シャンク部２は、本実施の形態では、丸棒状に形成されたストレートシャンクであるが、これに限定するものではなく、例えば基端方向へやや窄まったテーパシャンクを採用することもできる。
【００２９】
また、ドリル刃１は、刃台１１と刃体１２により構成されている。刃台１１と刃体１２は、略同じ長さに形成されており、刃体１２は、刃台１１に積層して固定されている（図１、図３、図４参照）。
【００３０】
なお、本実施の形態では、刃体１２は多結晶焼結体（多結晶ダイヤモンド：ＰＣＤ(Poly crystalline Diamond)）で形成されており、組織が緻密できわめて硬く、強度に優れている。
【００３１】
なお、刃体の材質としては、上記多結晶焼結体に限定するものではなく、例えば超高圧結晶体（ＣＢＮ(Cubic Boron Nitride：立方晶窒化硼素)の採用も可能である。また、シャンク部２と刃台１１の材質は、本実施の形態では、鋼で形成されているが、これに限定するものではなく、他の材料を採用することもできる。
【００３２】
刃台１１の断面形状は、円弧部分と、その直径線より短い直線部分からなる形状である。また、刃体１２の断面形状は、凹む方向に円弧状に湾曲した部分と、その両側の曲線部分及び刃台１１の直線部分と同じ長さの直線部分からなる形状である（図４参照）。
【００３３】
上記刃台１１と刃体１２が、一体化のため合わさった部分である境界部１１０は、その長手方向が、全体において回転中心軸１３と平行である（図４参照）。なお、刃台１１の先端部には、窄まった形状の逃げ面１１１が形成されている。
【００３４】
ドリル刃１は、長手方向と直角な全体としての断面形状が、略半円形状に形成されている（図４参照）。この断面形状においては、ドリル刃１の略直径に当たる差し渡し部分が、凹む方向に緩やかに湾曲した円弧状に形成されている。
【００３５】
これにより、ドリル刃１には、全長に渡り、凹面状の掬い面１２０が形成されている（図１、図４参照）。なお、掬い面１２０は、ドリル刃１を構成する刃体１２に形成されている。以下、主に刃体１２の構造について、詳細に説明する。
【００３６】
まず、ドリルＡの回転中心軸１３は、シャンク部２の中心軸（符号省略）と同一軸線上にあると共に、ドリル刃１では、刃体１２の掬い面１２０の幅方向において略中間位置にある（図２、図４、図５等参照）。
【００３７】
刃体１２の先端部には、尖鋭部１２ｃが設けられている。尖鋭部１２ｃは、回転中心軸１３上、すなわち掬い面１２０の表面と同じ位置にある。また、上記したように、掬い面１２０は、刃体１２の長手方向において、幅方向の曲率が同じになるように（幅方向の長さが短くなって欠落している部分は除く）形成されている。
【００３８】
なお、円弧状に湾曲した凹面である掬い面１２０の半径Ｒは、刃台１１と刃体１２の境界部１１０に対し直角で回転中心軸１３を通る、ドリル刃１の直径線上にある中心Ｃからの距離である。また、この掬い面１２０は、ドリル刃１の直径線Ｄ（図４、図５参照）に近接して略沿うように、回転中心軸１３と重なるように形成されている。本実施の形態では、半径Ｒは７．９０ｍｍに設定されているが、これに限定するものではなく、適宜設定が可能である。
【００３９】
そして、刃体１２において、ドリル刃１が回転方向Ｆへ回転することにより切刃となる側には、尖鋭部１２ｃを頂点として順に、心刃１２１、胴刃１２２及び仕上げ刃１２３が設けられている（図２の拡大図、図４参照）。心刃１２１と胴刃１２２は、切削刃を構成している。なお、これら各刃の刃先（符号省略）は、掬い面１２０の表面に沿って形成されている。
【００４０】
主に図２の拡大図を参照する。
尖鋭部１２ｃから外方向へ連続する心刃１２１の刃先は、回転中心軸１３と直角な基準線Ｂ１に対し、正面視で２０°の角度で直線的に形成されている。
【００４１】
次に、胴刃１２２の刃先は、心刃１２１から外方向へ連続して、基準線Ｂ１に対し、正面視で４５°の角度（心刃１２１に対しては２５°の角度）で直線的に形成されている。胴刃１２２の刃先の終端は、回転中心軸１３と平行に形成された仕上げ刃１２３の刃先に達している。
【００４２】
刃体１２において、心刃１２１とは反対方向へ連続して、基準線Ｂ１に対し５５°の角度で直線的に形成された部分と、その部分と連続し、仕上げ刃１２３とは反対側に位置して回転中心軸１３と平行な部分は、ドリルＡによる被加工物３の加工には直接関わらない、死刃１２９である。
【００４３】
図４を主に参照する。
心刃１２１、胴刃１２２及び仕上げ刃１２３には、それぞれに対応して、掬い面１２０を基準とする掬い角が設定されている。なお、図４においては、図示の便宜上、仕上げ刃１２３の掬い角のみを表している。
【００４４】
本実施の形態では、仕上げ刃１２３の掬い角は１８°であり、心刃１２１、及び胴刃１２２の掬い角も同様に１８°に設定されている。なお、掬い角の角度は、これに限定するものではなく、適宜設定が可能である。
【００４５】
また、心刃１２１、胴刃１２２及び仕上げ刃１２３には、それぞれに対応して逃げ面１２６ａ、１２６ｂ、１２６ｃが設けられている（図１、図３、図４参照）。
【００４６】
本実施の形態では、仕上げ刃１２３の逃げ面１２６ｃの逃げ角は１５°であり、心刃１２１の逃げ面１２６ａ及び胴刃１２２の逃げ面１２６ｂの逃げ角も同様に１５°に設定されている。なお、逃げ角の角度は、これに限定するものではなく、適宜設定が可能である。
【００４７】
主に図３の拡大図を参照する。
更に、刃体１２の尖鋭部１２ｃには、尖鋭部１２ｃから背面方向（図３の拡大図で右方向）へ、チゼル・エッジ１２４が形成されている。チゼル・エッジ１２４のチゼル角（軸周方向における基準線Ｂ１に対する角度）は、本実施の形態では９０°である（参考：図１、図３の拡大図）が、これに限定するものではなく、適宜設定が可能である。
【００４８】
また、チゼル・エッジ１２４には、逃げ角が設定されている（図３の拡大図参照）。逃げ角の角度は、本実施の形態では１０°に設定されているが、これに限定するものではなく、例えば５°から４５°の範囲、或いはその他の角度で適宜設定が可能である。
【００４９】
ドリルＡは、本実施の形態では、ドリル刃１がΦ５（直径５ｍｍ）規格のドリルである。ドリルＡにおいて、回転中心軸１３から仕上げ刃１２３の刃先までの半径は、２．５ｍｍ（５／２ｍｍ）である。なお、ドリルＡは、Φ５の規格に限定されるものではなく、例えばΦ３〜Φ７の規格、或いはその他の規格でも製造（製作）が可能である。
【００５０】
また、仕上げ刃１２３とは反対側の死刃１２９において、回転中心軸１３と平行な部分までの半径は、回転中心軸１３から仕上げ刃１２３の刃先までの半径より短い２．３４ｍｍに設定されている。更に、上記刃台１１の胴部の半径も、同じく２．３４ｍｍに設定されている（図４参照）。
【００５１】
なお、ドリルＡでは、ドリル刃１の先端の回転中心軸１３の位置に尖鋭部１２ｃが設けられているので、加工における被加工材料に対する食い付き性を良くするためのシンニングを行う必要は必ずしもないが、これを排除するものではなく、シンニングを行うこともできる。
【００５２】
（作用）
図５を主に参照し、ドリルＡで被加工材料３に穿孔する際の作用を説明する。
（１）ボール盤等の回転部でチャックされ、回転しているドリルＡのドリル刃１の先端を被加工材料３の表面に当てて、ドリルＡを下降させる。
【００５３】
（２）ドリル刃１の回転によって、まず、心刃１２１が被加工材料３を切削し、続いて胴刃１２２が被加工材料３を切削する。これにより、被加工材料３に穴３０を穿孔することができる。
【００５４】
（３）胴刃１２２による加工に続いて仕上げ刃１２３による仕上げ加工が行われる。仕上げ刃１２３は、胴刃１２２の最大径と略同径であるので、胴刃１２２により加工された部分を仕上げ加工することができる。
【００５５】
このような加工では、従来のドリルのように螺旋状の刃（溝）を有するものとは相違して、ドリルの回転による被加工材料３の持ち上がりが起こらない。これにより、被加工材料３の持ち上がりに起因する被加工材料３の損傷やデラミネーションの発生を抑制することができる。
【００５６】
また、心刃１２１、胴刃１２２、及び仕上げ刃１２３の回転により生じる切り屑は、各刃につながる掬い面１２０に案内されて排出される。掬い面１２０は、ボディ部であるドリル刃１の直径線Ｄに略沿うように、回転中心軸１３と重なって設けられている凹面状であるので、切削後に切り屑が誘導される空間部は比較的広くなっている。これにより、切り屑は円滑に排出され、掬い面１２０には切り屑が付着しにくく、詰まることを防止できる。
【００５７】
（製造方法）
以下に上記ドリルＡの製造方法について説明する。
（１）ドリル刃１を構成する刃台１１に、多結晶焼結体で形成された刃体１２を固定して一体化する。これにより、一体となったものの保持がしやすくなり、研磨装置等による刃体１２の加工もしやすい。
【００５８】
（２）刃体１２２に、研磨装置等を使用して、回転方向において被加工材料を加工する心刃１２１、胴刃１２２、及び仕上げ刃１２３を形成する。これにより、胴刃１２２で被加工材料３を加工した後、続いて仕上げ刃１２３によってその加工部を仕上げ加工することが可能になる。
【００５９】
（３）更に、心刃１２１、胴刃１２２、及び仕上げ刃１２３の刃先に回転方向Ｆへつながる逃げ面１２６ａ、１２６ｂ、１２６ｃを加工する。また、心刃１２１、胴刃１２２、及び仕上げ刃１２３の刃先に回転方向Ｆと逆方向へつながり、ドリル刃１の直径線Ｄに略沿うように、回転中心軸１３と重なるように設けられている凹面状の掬い面１２０を形成する。
【００６０】
このように、逃げ面１２６ａ、１２６ｂ、１２６ｃを設けることにより、心刃１２１、胴刃１２２の切削抵抗を小さく抑えることができる。更に、掬い面１２０を形成することにより、加工により生じる切り屑を掬い面１２０に沿って排出することができる。
【００６１】
次に、図６を参照してドリルの他の実施形態を示す。なお、図６では、上記ドリルＡと同等箇所に同様の符号を付して示しており、共通する構造については説明を省略する。
【００６２】
図６（ａ）に示すドリルのドリル刃１ａは、切削刃１２７が１枚で構成されている。切削刃１２７の刃先は、尖鋭部１２ｃから基準線Ｂ１に対し、正面視で４５°の角度で直線的に形成されている。
【００６３】
また、図６（ｂ）に示すドリルのドリル刃１ｂは、刃体１２において、尖鋭部１２ｃを頂点として順に、心刃１２１、胴刃１２２、外刃１２５及び仕上げ刃１２３が設けられている。尖鋭部１２ｃから連続する心刃１２１の刃先は、基準線Ｂ１に対し、正面視で２０°の角度で直線的に形成されている。
【００６４】
胴刃１２２の刃先は、心刃１２１から連続して、基準線Ｂ１に対し、正面視で４５°の角度で直線的に形成され、更に外刃１２５の刃先は、胴刃１２２から連続して、基準線Ｂ１に対し、正面視で７０°の角度で直線的に形成されている。
【００６５】
上記ドリル刃１ａ、１ｂを備えたドリルは、上記ドリルＡと実質的に同等の作用を有するが、切削刃を構成する刃の数の違いで、切削作業におけるドリル刃に対する切削抵抗の変異に特徴がある。
【００６６】
すなわち、ドリル刃１、１ｂのように切削刃を構成する刃が複数になると、ドリル刃１ａとは相違して、複数の切削刃が外に膨らむように形成され、切削作業が進むにつれ、切削刃による加工径が大きくなるのに伴って、切削刃の角度が段階的に大きくなる。これにより、外にある切削刃ほど、切削作業が進むのに伴う、回転に必要なトルクの上昇が緩やかになり、切削作業中にドリルに対し衝撃荷重が作用しにくい。
【００６７】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６８】
Ａ  ドリル
１  ドリル刃
１１  刃台
１１０  境界部
１１１  逃げ面
１２  刃体
１２０  掬い面
１２１  心刃
１２２  胴刃
１２３  仕上げ刃
１２４  チゼル・エッジ
１２９  死刃
１２ｃ  尖鋭部
１３  回転中心軸
２  シャンク部
Ｒ  半径
Ｃ  中心
Ｄ  直径線
Ｂ１  基準線
３  被加工材料
３０  穴
１ａ  ドリル刃
１ｂ  ドリル刃
１２５  外刃
１２７  切削刃
【図１】
2020124794.tif 000003
【図２】
2020124794.tif 000004
【図３】
2020124794.tif 000005
【図４】
2020124794.tif 000006
【図５】
2020124794.tif 000007
【図６】
2020124794.tif 000008